(57)【要約】【課題】本発明は、風量を大きくすると共に、折り線（折りたたみ部）を裂く力が発生しないようにして、折りたたみやすいだけでなく、少ない折り回数では、折り線（折りたたみ部）が裂けない携帯団扇を達成することにある。【解決手段】シート２と、シート２に設けられ互いに交差する折りたたみ部３１と、折りたたみ部３２および折りたたみ部３３と、折りたたみ部３３に設けられた近接した折り曲げ部３３１および折り曲げ部３３２と、で携帯団扇を構成している。【選択図】図１
2018047203.tif 000002
【特許請求の範囲】
【請求項１】
少なくてもシートから形成され、互いに交差する折りたたみ部が設けられた携帯団扇において、折りたたまれた前記折りたたみ部と交差する前記折りたたみ部の少なくても一方には、近接した二つの折り曲げ部が設けられていることを特徴とする携帯団扇。
【請求項２】
前記折り曲げ部が、柔軟性を有するフィルムに固着された四枚の前記シート間の前記フィルムに設けられていることを特徴とする請求項１に記載の携帯団扇。
【請求項３】
折りたたまれた前記折りたたみ部と交差する前記折りたたみ部の近傍のシートまたは／およびフィルムに孔が設けられていることを特徴とする請求項１または請求項２の何れかに記載の携帯団扇。
【発明の詳細な説明】
【技術分野】
【０００１】  本発明は、服のポケットに収納できる携帯団扇に関する。
【背景技術】
【０００２】  従来の携帯団扇は、シートの左端側から右端側に折りたたみ可能で、かつ、下端側から上端側にも折りたたみ可能であり、展開時に前記下端側を把持し、前記上端側を揺動することで、風を起こすように構成されている（例えば、特許文献１参照）。【０００３】  しかしながら、従来の携帯団扇は、扇ぐ時に水平方向谷折り線から上の部分が揺動するため風量が小さいだけでなく、通常の携帯団扇はシートが厚紙製のため、使用し続けていると水平方向谷折り線から裂けるという欠点があった。また、シートを水平方向谷折り線で折ってから、垂直方向谷折り線で折る構成になっているが、携帯団扇で使用される厚さが０．５ｍｍ前後のシートを二重に折る場合、垂直方向谷折り線を裂く力が発生して携帯団扇を折りたたみにくいだけでなく、無理に折りたたむと少ない折り回数で垂直方向谷折り線が裂けるという欠点もあった。
【先行技術文献】
【特許文献】
【０００４】
【特許文献１】特開２０１６−０１３３１２号公報
【発明の概要】
【発明が解決しようとする課題】
【０００５】  本発明は、上記の従来技術の欠点を解決するもので、風量を大きくすると共に、折り線（折りたたみ部）を裂く力が発生しないようにして、折りたたみやすいだけでなく、少ない折り回数では、折り線（折りたたみ部）が裂けない携帯団扇を提供することを目的としている。
【課題を解決するための手段】
【０００６】  上記目的を達成するため、請求項１に記載の携帯団扇は、少なくてもシートから形成され、互いに交差する折りたたみ部が設けられた携帯団扇において、折りたたまれた前記折りたたみ部と交差する前記折りたたみ部の少なくても一方には、近接した二つの折り曲げ部が設けられている。【０００７】  また、請求項２に記載の携帯団扇は、請求項１に記載の携帯団扇において、前記折り曲げ部が、柔軟性を有するフィルムに固着された四枚の前記シート間の前記フィルムに設けられている。【０００８】  また、請求項３に記載の携帯団扇は、請求項１または請求項２の何れかに記載の携帯団扇において、折りたたまれた前記折りたたみ部と交差する前記折りたたみ部の近傍のシートまたは／およびフィルムに孔が設けられている。
【発明の効果】
【０００９】  上記の説明から明らかなように、請求項１に記載の携帯団扇は、少なくてもシートから形成され、互いに交差する折りたたみ部が設けられた携帯団扇において、折りたたまれた折りたたみ部と交差する折りたたみ部の少なくても一方には、近接した二つの折り曲げ部が設けられているため、携帯団扇で使用される厚みが０．５ｍｍ前後の厚紙製のシートでも、折りたたみ部を裂く力が発生しないため、折りたたみやすいだけでなく、少ない折り回数では、折りたたみ部が裂けないようにすることができる。また、最初に折りたたむ折りたたみ部を略１５０°に広げれば携帯団扇の上端側を揺動せずに扇げるため、風量を大きくすることができる。また、両手での操作が必要なフォールディングファンの商品名で販売されている携帯団扇と異なり、片手で操作することができるだけなく遥かに薄い形状にすることもできる。【００１０】  また、請求項２に記載の携帯団扇は、請求項１に記載の携帯団扇において、折り曲げ部が、柔軟性を有するフィルムに固着された四枚のシート間のフィルムに設けられているため、厚紙製のシートでも、折りたたみ部を裂く力が発生しないため、折りたたみやすいだけでなく、多くの折り回数でも折りたたみ部が裂けないため長期間、使用することができる。【００１１】  また、請求項３に記載の携帯団扇は、請求項１または請求項２の何れかに記載の携帯団扇において、折りたたまれた折りたたみ部と交差する折りたたみ部の近傍のシートまたは／およびフィルムに孔が設けられているため、携帯団扇を折りたたむ時に折りたたみ部の相互の干渉を防ぐことができる。
【図面の簡単な説明】
【００１２】
【図１】本発明を実施するための第１の最良の形態の構成を示す正面図である。
【図２】図１の第１の最良の形態の構成を示す部分拡大下面図である。
【図３】図１の第１の最良の形態の構成を示す部分拡大右側面図である。
【図４】図１の第１の最良の形態の構成を示す部分拡大左側面図である。
【図５】図１の第１の最良の形態の作用を示す正面図である。
【図６】図１の第１の最良の形態の作用を示す正面図である。
【図７】図６の第１の最良の形態の作用を示す部分拡大左側面図である。
【図８】図１の第１の最良の形態の作用を示す下面図である。
【図９】本発明を実施するための第２の最良の形態の構成を示す正面図である。
【図１０】図９の第２の最良の形態の構成を示す部分拡大下面図である。
【図１１】図９の第２の最良の形態の構成を示す部分拡大右側面図である。
【図１２】図９の第２の最良の形態の構成を示す部分拡大左側面図である。
【図１３】図９の第２の最良の形態の作用を示す正面図である。
【図１４】図９の第２の最良の形態の作用を示す正面図である。
【図１５】図１４の第２の最良の形態の作用を示す部分拡大左側面図である。
【図１６】図９の第２の最良の形態の作用を示す下面図である。
【発明を実施するための形態】
【００１３】  以下、本発明の最良の形態を図に基づいて説明する。
【実施例１】
【００１４】  本発明の実施例１を、図１ないし図８に基づいて説明する。図１ないし図４に示すように携帯団扇１は、厚紙製のシート２に設けられシート２の略中央でシート２を折りたたむための第一折りたたみ部３１と、シート２に設けられ第一折りたたみ部３１の略中央で第一折りたたみ部３１と略直角に交差しシート２をさらに折りたたむための第二折りたたみ部３２および第三折りたたみ部３３と、第一折りたたみ部３１が第二折りたたみ部３２および第三折りたたみ部３３と交差する部分に設けられた孔４と、シート２の一方の端部の第一折りたたみ部３１の両側に設けられた第一円弧部５１と、シート２の一方の端部の両側に設けられた第二円弧部５２を備えている。孔４は第一折りたたみ部３１および第二折りたたみ部３２および第三折りたたみ部３３を、それぞれ折りたたむ時の干渉を防ぐために設けられている。また、第一円弧部５１および第二円弧部５２は、携帯団扇１を扇ぐ時に、図示しない掌の傷を防ぐために設けられている。【００１５】  図２に示すように、折り曲げ部３１１および折り曲げ部３１２から成る第一折りたたみ部３１には、シート２を図５に示すように谷折り状に折りたたむ時、シート２が裂けないようにするための筋入れ加工がされている。図３に示すように、折り曲げ部３２１および折り曲げ部３２２から成る第二折りたたみ部３２にも、シート２を図６に示すように谷折り状に折りたたむ時、シート２が裂けないようにするための筋入れ加工がされている。図４に示すように、折り曲げ部３３１および折り曲げ部３３２から成る第三折りたたみ部３３にも、シート２を図６に示すように谷折り状に折りたたむ時、シート２が裂けないようにするための筋入れ加工がされている。折り曲げ部３１１および折り曲げ部３１２、折り曲げ部３２１および折り曲げ部３２２、折り曲げ部３３１および折り曲げ部３３２の間隔が狭いため、通常の筋入れ加工が困難であればプレス加工をしても良い。【００１６】  携帯団扇１を、図５と図６のように折りたたむ時、第一折りたたみ部３１および第二折りたたみ部３２および第三折りたたみ部３３を裂く力が発生しないようにするため、各部分の寸法関係は図２と図３と図４と図７に示すような関係にすることが好ましい。具体的にはａ、ｂ、ｃ、ｄが各部の寸法で、図２と図３と図４の円弧（円弧長＝ａ）が折りたたむ時に直線状になる（直線長＝ａ）場合、シート２の厚さ＝ｔとすれば、√２＊ａ＋ｂ≫２＊ｔ、√２＊ａ＋ｃ≫２＊ｔ、√２＊ａ＋ｄ≫４＊ｔとなるような関係である。【００１７】  上記のように構成することで、携帯団扇１を図示しない左手で扇ぐ時は、第一折りたたみ部３１のみを図８に示すように略１５０°に広げ、握り部６１を図示しない左手の親指で、図示しない他の指は握り部６１および握り部６２の裏側を持てば良い。携帯団扇１を図示しない右手で扇ぐ時は、第一折りたたみ部３１のみを図８に示すように略１５０°に広げ、握り部６２を図示しない右手の親指で、図示しない他の指は握り部６１および握り部６２の裏側を持てば良い。第一折りたたみ部３１が略１５０°に折られているため、第二折りたたみ部３２およびは第三折りたたみ部３３から上の部分の携帯団扇１が揺動するのを防ぐことができ���。【００１８】  携帯団扇１を図示しない服のポケットに収納する時は、第一折りたたみ部３１を谷折り状に折りたたんで図５に示す状態にしてから、さらに第二折りたたみ部３２および第三折りたたみ部３３を谷折り状に折りたたんで図６に示す状態にすれば良い。図示しない服のポケットに収納している携帯団扇１を使用する時は、上記と逆の順番に、シート２を開いて図８に示す状態にすれば良い。
【実施例２】
【００１９】  実施例１と同一または同等の構成要素、部材などには同一の符号を付し、適宜重複した説明は省略する。以下、実施例２の特徴部分を中心に説明する。【００２０】  本発明の実施例２を、図９ないし図１６に基づいて説明する。図９ないし図１２に示すように携帯団扇１は、厚紙製の四枚のシート２１と、シート２２と、シート２３と、シート２４と、シート２１ないしシート２４の片面に粘着や接着などの方法で固着された柔軟性を有する薄い透明の樹脂製フィルム７と、シート２１およびシート２４とシート２２およびシート２３間のフィルム７に設けられた第一折りたたみ部３１と、シート２１およびシート２４間のフィルム７に設けられた第二折りたたみ部３２と、シート２２およびシート２３間のフィルム７に設けられた第三折りたたみ部３３と、第一折りたたみ部３１が第二折りたたみ部３２および第三折りたたみ部３３と交差する部分に設けられた孔４と、シート２３およびシート２４の端部の第一折りたたみ部３１の両側に設けられた第一円弧部５１と、シート２３およびシート２４の端部の両側に設けられた第二円弧部５２を備えている。第二折りたたみ部３２および第三折りたたみ部３３は、第一折りたたみ部３１の略中央で第一折りたたみ部３１と略直交するように設けられている。孔４は第一折りたたみ部３１および第二折りたたみ部３２および第三折りたたみ部３３を、それぞれ折りたたむ時の干渉を防ぐために設けられている。また、第一円弧部５１および第二円弧部５２は携帯団扇１を扇ぐ時に、図示しない掌の傷を防ぐために設けられている。【００２１】  図９と図１０に示すように、第一折りたたみ部３１には、シート２１ないしシート２４を図１３に示すように谷折り状に折りたたむ時、フィルム７が裂けないようにするための折り曲げ部３１１および折り曲げ部３１２が、間隔を空けて設けられている。図９と図１１に示すように、第二折りたたみ部３２にも、シート２１ないしシート２４を図１４に示すように谷折り状に折りたたむ時、フィルム７が裂けないようにするための折り曲げ部３２１および折り曲げ部３２２が、間隔を空けて設けられている。図９と図１２に示すように、第三折りたたみ部３３にも、シート２１ないしシート２４を図１４に示すように谷折り状に折りたたむ時、フィルム７が裂けないようにするための折り曲げ部３３１および折り曲げ部３３２が、間隔を空けて設けられている。【００２２】  第一折りたたみ部３１および第二折りたたみ部３２および第三折りたたみ部３３を裂く力が発生しないようにするため、各部分の寸法関係は図１０と図１１と図１２と図１５に示すような関係にすることが好ましい。具体的にはｅ、ｆ、ｇが各部の寸法で、シート２１ないしシート２４の厚さ＝ｔ１、フィルム７の厚さをｔ２とすれば、ｅ＞２＊ｔ２、ｆ＞２＊ｔ１、ｇ＞２＊ｔ１＋４＊ｔ２となるような関係である。【００２３】  上記のように構成することで、携帯団扇１を図示しない左手で扇ぐ時は、第一折りたたみ部３１のみを図１６に示すように略１５０°に広げ、握り部６１を図示しない左手の親指で、図示しない他の指は握り部６１および握り部６２の裏側を持てば良い。携帯団扇１を図示しない右手で扇ぐ時は、第一折りたたみ部３１のみを図１６に示すように略１５０°に広げ、握り部６２を図示しない右手の親指で、図示しない他の指は握り部６１および握り部６２の裏側を持てば良い。第一折りたたみ部３１が略１５０°に折られているため、第二折りたたみ部３２およびは第三折りたたみ部３３から上の部分の携帯団扇１が揺動するのを防ぐことができる。【００２４】  携帯団扇１を図示しない服のポケットに収納する時は、第一折りたたみ部３１を谷折り状に折りたたんで図１３に示す状態にしてから、さらに第二折りたたみ部３２および第三折りたたみ部３３を谷折り状に折りたたんで図１４に示す状態にすれば良い。図示しない服のポケットに収納している携帯団扇１を使用する時は、上記と逆の順番に、シート２１ないしシート２４を開いて、図１６に示す状態にすれば良い。【００２５】  本発明の範囲内で、任意に変形や応用が可能である。例えば、厚紙製のシート２およびシート２１ないしシート２４は樹脂製のシートでも良い。また、実施例１の折り曲げ部３１１および折り曲げ部３１２と折り曲げ部３２１および折り曲げ部３２２は、それぞれの略中央に一つ設けても良い。また、シート７は第一折りたたみ部３１および第二折りたたみ部３２および第三折りたたみ部３３の近傍のみに粘着や接着などの方法で固着しても良い。また、第一折りたたみ部３１および第二折りたたみ部３２および第三折りたたみ部３３は、携帯団扇１に対してそれぞれ９０°または１８０°または２７０°回転させた位置に設けても良い。また、フィルム７はシート２１ないしシート２４の両面に固着しても良い。また、フィルム７は不透明でも良い。また、孔４は図示された形状に限らず任意の形状でも良い。
【産業上の利用可能性】
【００２６】  本発明は、携帯団扇を製造する産業で利用される。
【符号の説明】
【００２７】    １                    携帯団扇
２                    シート
４                    孔
７                    フィルム
２１、２２、２３、２４  シート
３１                    第一折りたたみ部
３２                    第二折りたたみ部
３３                    第三折りたたみ部
５１                    第一円弧部
５２                    第二円弧部
６１、６２              握り部
３１１、３１２            折り曲げ部
３２１、３２２            折り曲げ部
３３１、３３２            折り曲げ部
【図１】
2018047203.tif 000003
【図２】
2018047203.tif 000004
【図３】
2018047203.tif 000005
【図４】
2018047203.tif 000006
【図５】
2018047203.tif 000007
【図６】
2018047203.tif 000008
【図７】
2018047203.tif 000009
【図８】
2018047203.tif 000010
【図９】
2018047203.tif 000011
【図１０】
2018047203.tif 000012
【図１１】
2018047203.tif 000013
【図１２】
2018047203.tif 000014
【図１３】
2018047203.tif 000015
【図１４】
2018047203.tif 000016
【図１５】
2018047203.tif 000017
【図１６】
2018047203.tif 000018